(57)【要約】【課題】  本発明は製造が容易で、輸送の梱包の体積を小さくできるとともに、ナットと座金を外れることなく、回転可能に取付ける作業が不要で、低コストで製造したり、輸送することができるナットおよび締付部材を得るにある。【解決手段】  ボルトの挿入後、螺合方向へ回転させると挿入されたボルトのねじ部と螺合する少なくとも２個以上のナットセグメントおよび、該ナットセグメントを螺合方向に付勢するナットセグメント付勢スプリングが収納された外周壁が多角形状あるいは丸形状のナット本体と、このナット本体のボルト挿入側の外周部に形成された取付部材に固定できる座金に形成された係合片と回動可能で、かつ着脱可能に係合あるいは取付部材に係止できる係止金具を回転可能で、かつ着脱可能に係合させることができるリング状の係合溝とでナットを構成している。【選択図】  図１
2013064415.tif 000002
【特許請求の範囲】
【請求項１】
ボルトの挿入後、螺合方向へ回転させると挿入されたボルトのねじ部と螺合する少なくとも２個以上のナットセグメントおよび、該ナットセグメントを螺合方向に付勢するナットセグメント付勢スプリングが収納された外周壁が多角形状あるいは丸形状のナット本体と、このナット本体のボルト挿入側の外周部に形成された取付部材に固定できる座金に形成された係合片と回動可能で、かつ着脱可能に係合あるいは取付部材に係止できる係止金具を回転可能で、かつ着脱可能に係合させることができるリング状の係合溝とからなることを特徴とするナット。
【請求項２】
ボルトの挿入後、螺合方向へ回転させると挿入されたボルトのねじ部と螺合する少なくとも２個以上のナットセグメントおよび、該ナットセグメントを螺合方向に付勢するナットセグメント付勢スプリングが収納された外周壁が多角形状あるいは丸形状のナット本体、このナット本体のボルト挿入側の外周部に形成された取付部材に固定できる座金に形成された係止片と回動可能で、かつ着脱可能に係合あるいは取付部材に係止できる係止金具を回転可能で、かつ着脱可能に係合させることができるリング状の係止溝とからなるナットと、このナットの係止溝と回動可能で、かつ着脱可能に係合する係止片を有する座金あるいは係止金具とからなる締付部材。
【発明の詳細な説明】
【技術分野】
【０００１】
本発明はボルトを挿入した後、回転させることによりボルトのねじ部と螺合するナットセグメントを備えるナットおよび、該ナットと係合する座金や係止金具とで構成される締付部材に関する。
【背景技術】
【０００２】
従来、この種のナットや締付部材はナットセグメントを備えるナット部材に、外れることがなく、回転可能な座金を取付けていた。
このように構成された締付部材はナットに座金が取付けられているので、梱包の体積が大きく、輸送がコスト高となるという欠点があった。
【０００３】
また、ナットに座金を外れることなく、回転可能に取付けるため、その組立て作業に手数がかかり、コスト高になるという欠点があった。
【先行技術文献】
【特許文献】
【０００４】
【特許文献１】特許第４５３１５８５号公報
【特許文献２】特許第４２０１２１９号公報
【発明の概要】
【発明が解決しようとする課題】
【０００５】
本発明は以上のような従来の欠点に鑑み、製造が容易で、輸送の梱包の体積を小さくできるとともに、ナットと座金を外れることなく、回転可能に取付ける作業が不要で、低コストで製造したり、輸送することができるナットおよび締付部材を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はボルトの挿入後、螺合方向へ回転させると挿入されたボルトのねじ部と螺合する少なくとも２個以上のナットセグメントおよび、該ナットセグメントを螺合方向に付勢するナットセグメント付勢スプリングが収納された外周壁が多角形状あるいは丸形状のナット本体と、このナット本体のボルト挿入側の外周部に形成された取付部材に固定できる座金に形成された係合片と回動可能で、かつ着脱可能に係合あるいは取付部材に係止できる係止金具を回転可能で、かつ着脱可能に係合させることができるリング状の係合溝とでナットを構成している。
【０００８】
また、本発明はボルトの挿入後、螺合方向へ回転させると挿入されたボルトのねじ部と螺合する少なくとも２個以上のナットセグメントおよび、該ナットセグメントを螺合方向に付勢するナットセグメント付勢スプリングが収納された外周壁が多角形状あるいは丸形状のナット本体、このナット本体のボルト挿入側の外周部に形成された取付部材に固定できる座金に形成された係止片と回動可能で、かつ着脱可能に係合あるいは取付部材に係止できる係止金具を回転可能で、かつ着脱可能に係合させることができるリング状の係止溝とからなるナットと、このナットの係止溝と回動可能で、かつ着脱可能に係合する係止片を有する座金あるいは係止金具とで締付部材を構成している。
【発明の効果】
【０００９】
以上の説明から明らかなように、本発明にあっては次に列挙する効果が得られる。
（１）請求項１により、ナット本体のボルトを挿入側の外周部にリング状の係合溝を形成するだけでよいので、加工が容易で低コストで製造することができる。
（２）前記（１）によって、リング状の係合溝と回動可能で、かつ着脱可能な係合片を有する座金あるいは係止金具を係合させることにより、ボルトを必要部位まで挿入し、ナット本体を螺合方向に回転させることにより、短時間に締付固定する作業ができる。
（３）前記（１）によって、小さく梱包することができるので、梱包コストの低減と輸送コストの低減を図ることができる。
（４）前記（１）により、使用時にナット本体と係合片を有する座金あるいは係止金具を取付けて使用するので、製造時にはナット本体と座金や係止金具を取付ける作業が不要で、製造作業が容易で、低コストで製造することができる。
（５）請求項２も前記（１）〜（４）と同様な効果が得られる。
【図面の簡単な説明】
【００１０】
【図１】本発明を実施するための第１の形態の使用状態の平面図。
【図２】本発明を実施するための第１の形態の使用状態の正面図。
【図３】本発明を実施するための第１の形態のナットの平面図。
【図４】本発明を実施するための第１の形態のナットの正面図。
【図５】本発明を実施するための第１の形態のナットの底面図。
【図６】本発明を実施するための第１の形態のナットの一部破断分解説明図。
【図７】本発明を実施するための第１の形態の座金の平面図。
【図８】本発明を実施するための第１の形態の座金の正面図。
【図９】本発明を実施するための第１の形態の平面図。
【図１０】本発明を実施するための第１の形態の正面図。
【図１１】本発明を実施するための第２の形態の使用状態の平面図。
【図１２】本発明を実施するための第２の形態の説明図。
【図１３】本発明を実施するための第２の形態の座金の説明図。
【図１４】本発明を実施するための第３の形態の使用状態の平面図。
【図１５】本発明を実施するための第３の形態の説明図。
【図１６】本発明を実施するための第３の形態の座金の説明図。
【図１７】本発明を実施するための第４の形態の使用状態の平面図。
【図１８】本発明を実施するための第４の形態の説明図。
【図１９】本発明を実施するための第４の形態の座金の説明図。
【図２０】本発明を実施するための第５の形態の使用状態の平面図。
【図２１】本発明を実施するための第５の形態の使用状態の正面図。
【図２２】本発明を実施するための第５の形態の説明図。
【図２３】本発明を実施するための第５の形態の係止金具の説明図。
【図２４】本発明を実施するための第６の形態の使用状態の平面図。
【図２５】本発明を実施するための第６の形態の説明図。
【図２６】本発明を実施するための第６の形態の係止金具の説明図。
【図２７】本発明を実施するための第７の形態の使用状態の平面図。
【図２８】本発明を実施するための第7の形態の説明図。
【図２９】本発明を実施するための第７の形態の座金の説明図。
【発明を実施するための形態】
【００１１】
以下、図面に示す本発明を実施するための形態により、本発明を詳細に説明する。
【００１２】
図１ないし図１０に示す本発明を実施するための第１の形態において、１は本発明の締付部材で、この締付部材１はボルト２の挿入後、螺合方向に回転させると挿入されたボルト２のねじ部３と螺合するナット４と、このナット４に回動可能で着脱可能に係合する取付部材５にビス６、６で固定できる座金７とで構成されている。
【００１３】
前記ナット４は図３ないし図６に示すように外周壁が多角形状あるいは丸形状、本発明の実施の形態では六角形状で、ボルト挿入側の内壁が順次小内径寸法となる傾斜孔８に形成されたナットケース９、このナットケース９の内壁９ａの軸心方向に形成された少なくとも２個以上、本発明の実施の形態では等間隔に３個のガイド片１０、１０、１０、これらのガイド片１０、１０、１０間の内壁９ａにボルト２のねじ部３と螺合するねじ山１１、１１、１１が形成され、かつ該ナットケース９の軸心方向にスライド移動可能に取付けられた３個のナットセグメント１２、１２、１２、この３個のナットセグメント１２、１２、１２を前記ナットケース９の小内径寸法方向へ付勢する付勢スプリング１３、この付勢スプリング１３を前記ナットケース９内に収納した状態を保持する、該ナットケース９の反ボルト挿入側にカシメ固定されたボルト挿入孔１４を有する座金形状の抜け脱防止片１５とで構成されたナット本体１６と、このナット本体１６のボルト挿入側の前記ナットケース９の外周部に形成されたリング状の係合溝１７とで構成されている。
【００１４】
前記座金７は図７および図８に示すように、ボルト挿入孔１８が形成された座金本体１９と、この座金本体１９の対向する外周部寄りの部位に形成された一対のビス挿入孔２０、２０と、この一対のビス挿入孔２０、２０の間の前記座金本体１９の上面に形成された前記ナット４のリング状の係合溝１７と回転可能で、かつ着脱可能に係合する係合片２１、２１とで構成されている。
【００１５】
上記構成の締付部材１は、使用される現場まではナット４と座金７とが分離された小さな梱包で輸送される状態となっている。
【００１６】
使用現場では図９および図１０に示すように、ナット４のリング状の係合溝１７に座金７の係合片２１、２１を係合させ、接続する柱や桁の取付部材としての木材５、５に形成したボルト挿入孔２２、２２に座金２３を介してボルト２を挿入し、ボルト挿入孔２２より突出したボルト２の先端部を座金７が取付けられたナット４のボルト挿入孔９ｂ内へ押し込む。
【００１７】
この時、ナット４の３個のナットセグメント１２、１２、１２はボルト２のねじ部３によって拡開方向へ押し付けられ、スムーズにボルト２が挿入される。
【００１８】
座金７が取付部材である木材５に接触すると、ビス６、６を座金７のビス挿入孔２０、２０を通して木材５にビス止めして、座金７を木材５に固定した後、ナット本体１６を締付方向に回転させることにより、ボルト２のねじ部３とナットセグメント１２、１２、１２のねじ山１１、１１、１１とが螺合し、木材５、５を締付けて、固定することができる。
【００１９】
使用中に木材５、５が乾燥等によって収縮した場合、木材５にビス止めされた座金７は木材５と一体になって移動するため、ナット本体１６も同方向に移動するため、付勢スプリング１３で付勢されたナットセグメント１２、１２、１２も同方向に移動し、締付固定状態を保つことができる。
【００２０】
[発明を実施するための異なる形態]
次に、図１１ないし図２９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１１ないし図１３に示す本発明を実施するための第２の形態において、前記本発明を実施するための第１の形態と主に異なる点は、ボルト挿入孔１８および上面に係合片２１、２１が形成された上部座金２４と、この上部座金２４の下面に接着あるいは溶着等で固定されたボルト挿入孔１８および、外周部に先端部が下方へ突出するように一体形成された取付部材５にくい込み係止される複数個の係止爪２５とからなる下部座金２６とで座金７Ａを構成した点で、このような座金７Ａを用いた締付部材１Ａにしても、前記本発明を実施するための第１の形態と同様な作用効果が得られる。
【００２２】
図１４ないし図１６に示す本発明を実施するための第３の形態において、前記本発明を実施するための第２の形態と主に異なる点は、座金本体１９にボルト挿入孔１８、係合片２１、２１および外周部に先端部が下方へ突出するように一体形成された取付部材５にくい込み係止される複数個の係止爪２５を形成した座金７Ｂを用いた点で、このような座金７Ｂを用いて構成した締付部材１Ｂにしても前記本発明を実施するための第２の形態と同様な作用効果が得られる。
【００２３】
図１７ないし図１９に示す本発明を実施するための第４の形態において、前記本発明を実施するための第１の形態と主に異なる点は、座金本体１９の上面のボルト挿入孔１８の外周部に半円弧形状の凹部２７を形成し、該凹部２７内に半円弧形状の係合片２１Ａの接続片２８を挿入して、該接続片２８と座金本体１９とをスポット溶接等で固定した座金７Ｃを用いた点で、このような座金７Ｃを用いて構成した締付部材１Ｃにしても、前記本発明を実施するための第１の形態と同様な作用効果が得られる。
【００２４】
図２０ないし図２３に示す本発明を実施するための第５の形態において、前記本発明を実施するための第１の形態と主に異なる点は、ナット４のリング状の係合溝１７に押さえることにより拡開して係合させることができる巻き付けられた係合部２９および該係合部２９の両端部より突出し、柱３０の下部位置に固定された、基礎３６に埋設され土台３５を貫通するアンカーボルト２と係止させる取付部材としてのホールダウン金物３１のアンカーボルト挿入筒３２に係止できる係止片３３、３３を備える係止金具３４を用いた点で、このような係止金具３４を使用した締付部材１Ｄにしても、前記本発明を実施するための第１の形態と同様な作用効果が得られる。
【００２５】
図２４ないし図２６に示す本発明を実施するための第６の形態において、前記本発明を実施するための第５の形態と主に異なる点は、Ｅリング形状の係合部２９Ａに係止片３３、３３を固定した係止金具３４Ａを用いた点で、このような係止金具３４Ａを使用した締付部材１Ｅにしても、前記本発明を実施するための第５の形態と同様な作用効果が得られるとともに、ナット４と係止金具３４Ａとの取付けが、リング状の係合溝１７へ係合部２９Ａを押し込むことででき、容易に行なうことができる。
【００２６】
図２７ないし図２９に示す本発明を実施するための第７の形態において、前記本発明を実施するための第２の形態と主に異なる点は、ボルト挿入孔１８および係合片挿入孔３７、３７が形成された上部座金２４Ａと、この上部座金２４Ａの下面に該上部座金２４Ａの係合片挿入孔３７、３７より上方に突出する係合片２１Ａ、２１Ａ、ボルト挿入孔１８および外周部に複数個の係止爪２５、２５を形成した下部座金２６Ａとで座金７Ｄを構成した点で、このような座金７Ｄを用いて構成した締付部材１Ｆにしても、前記本発明を実施するための第２の形態と同様な作用効果が得られる。
【００２７】
なお、本発明の実施の形態ではスパナが使用できるように外周壁が多角形状のナットケース９について説明したが、本発明はこれに限らず、手で回して使用するものは外周壁が丸形状にしたものであってもよい。
【産業上の利用可能性】
【００２８】
本発明はボルトを挿入した後、回転させることでボルトのねじ山と螺合させることができるナットおよび締付部材を製造する産業で利用される。
【符号の説明】
【００２９】
１、１Ａ、１Ｂ、１Ｃ、１Ｄ、１Ｅ：締付部材、
２：ボルト、        ３：ねじ部、
４：ナット、          ５：取付部材、  
６：ビス、        ７、７Ａ、７Ｂ、７Ｃ：座金、
８：傾斜孔、        ９：ナットケース、
１０：ガイド片、      １１：ねじ山、
１２：ナットセグメント、    １３：付勢スプリング、
１４：ボルト挿入孔、    １５：抜け脱防止片、
１６：ナット本体、      １７：リング状の係合溝、
１８：ボルト挿入孔、    １９：座金本体、
２０：ビス挿入孔、      ２１、２１Ａ：係合片、
２２：ボルト挿入孔、    ２３：座金、
２４：上部座金、      ２５：係止爪、
２６：下部座金、      ２７：凹部、
２８：接続片、      ２９、２９Ａ：係合部、
３０：柱、        ３１：ホールダウン金物、
３２：アンカーボルト挿入筒、  ３３：係止片、
３４、３４Ａ：係止金具。    
【図１】
2013064415.tif 000003
【図２】
2013064415.tif 000004
【図３】
2013064415.tif 000005
【図４】
2013064415.tif 000006
【図５】
2013064415.tif 000007
【図６】
2013064415.tif 000008
【図７】
2013064415.tif 000009
【図８】
2013064415.tif 000010
【図９】
2013064415.tif 000011
【図１０】
2013064415.tif 000012
【図１１】
2013064415.tif 000013
【図１２】
2013064415.tif 000014
【図１３】
2013064415.tif 000015
【図１４】
2013064415.tif 000016
【図１５】
2013064415.tif 000017
【図１６】
2013064415.tif 000018
【図１７】
2013064415.tif 000019
【図１８】
2013064415.tif 000020
【図１９】
2013064415.tif 000021
【図２０】
2013064415.tif 000022
【図２１】
2013064415.tif 000023
【図２２】
2013064415.tif 000024
【図２３】
2013064415.tif 000025
【図２４】
2013064415.tif 000026
【図２５】
2013064415.tif 000027
【図２６】
2013064415.tif 000028
【図２７】
2013064415.tif 000029
【図２８】
2013064415.tif 000030
【図２９】
2013064415.tif 000031